(57)【要約】【課題】携帯電話機などに記憶されているユーザの個人情報のセキュリティを向上する。【解決手段】数字キー“１”が押下されたとき、表示操作部８から該当するキー押下信号が制御部１２へ出力され、タイマ７により押下時間が計測される。この押下時間が１秒のとき、制御部１２により数字“１”と押下時間（１秒）とが符号化され、表示部３に表示される暗証コード入力欄の７桁目に「１」が表示される。同様に、数字キー“０”が押下され、押下時間が３秒のとき、暗証コード入力欄の４乃至６桁目に「０００」が表示される。数字キー“８”が押下され、押下時間が１秒のとき、暗証コード入力欄の３桁目に「８」が表示される。数字キー“５”が押下され、押下時間が２秒のとき、暗証コード入力欄の１乃至２桁目に「５５」が表示される。よって、暗証コード入力欄に「コード：１０００８５５」が表示される。【選択図】図３
2008052416.tif 000002
【特許請求の範囲】
【請求項１】
数字キー、文字キー及び記号キーから任意に選択して組み合わせた組合わせキーにより入力された登録用暗証コードをあらかじめ記憶し、前記組合わせキーにより入力された認証用暗証コードと前記登録用暗証コードとの一致／不一致を判定し、一致したときに所定の動作を行う電子機器であって、
前記組合わせキーに対応する数字、文字及び記号と当該数字キー、文字キー及び記号キーの押下時間との組合わせをコード化した数字、文字及び記号を前記登録用暗証コード又は前記認証用暗証コードとして設定する暗証コード設定手段が設けられていることを特徴とする電子機器。
【請求項２】
前記登録用暗証コードを記憶する記憶手段と、
前記認証用暗証コードと前記登録用暗証コードとの一致／不一致を判定する一致／不一致判定手段とを備え、
前記暗証コード設定手段は、
当該数字キー、文字キー及び記号キーの押下時間を計測する計時手段と、
前記組合わせキーに対応する数字、文字及び記号を、計測された前記押下時間の長さに比例した数だけ羅列することにより前記登録用暗証コード又は前記認証用暗証コードを設定するコード化手段とを備えてなることを特徴とする請求項１記載の電子機器。
【請求項３】
前記登録用暗証コード又は前記認証用暗証コードを入力するための暗証コード入力画面を表示する表示手段を備えてなることを特徴とする請求項１又は２記載の電子機器。
【請求項４】
数字キー、文字キー及び記号キーから任意に選択して組み合わせた組合わせキーにより入力された登録用暗証コードをあらかじめ記憶し、前記組合わせキーにより入力された認証用暗証コードと前記登録用暗証コードとの一致／不一致を判定し、一致したときに所定の動作を行う電子機器に用いられる暗証コード設定方法であって、
前記組合わせキーに対応する数字、文字及び記号と当該数字キー、文字キー及び記号キーの押下時間との組合わせをコード化した数字、文字及び記号を前記登録用暗証コード又は前記認証用暗証コードとして設定することを特徴とする暗証コード設定方法。
【請求項５】
前記数字キー、文字キー及び記号キーの押下時間を計測する計時処理と、
当該数字キー、文字キー及び記号キーに対応する数字、文字及び記号を、計測された前記各押下時間の長さに比例した数だけ羅列することにより前記登録用暗証コード又は前記認証用暗証コードを設定するコード化処理とを行うことを特徴とする請求項４記載の暗証コード設定方法。
【請求項６】
コンピュータに請求項１乃至３のいずれか一に記載の電子機器を制御させるための暗証コード設定制御プログラム。
【発明の詳細な説明】
【技術分野】
【０００１】
この発明は、電子機器、該電子機器に用いられる暗証コード設定方法及び暗証コード設定制御プログラムに係り、特に、ユーザの個人情報が記憶されている携帯電話機などのように、第三者による不正使用を防止する必要がある場合に適用して好適な電子機器、該電子機器に用いられる暗証コード設定方法及び暗証コード設定制御プログラムに関する。
【背景技術】
【０００２】
携帯電話機は、通常の通話機能の他に、ユーザの個人情報を記憶する機能も有しているが、近年では、同個人情報のセキュリティ（security、保護）のために、第三者による不正使用を防止する様々な機能を有するようになってきている。不正使用を防止するための機能として、キー入力をロックするダイヤルロック機能、個人情報の表示を禁止するロック機能などがある。この場合、上記ロック機能の設定／解除は、携帯電話機の筐体の型式（一体型や折り畳み型など）に関わらず、暗証コードの入力により行われる。暗証コードは、通常では４桁の数字コードが用いられ、ユーザは、たとえば電話番号や生年月日など、身近な数字の組合わせを使用していることが多いため、第三者に解読されて不正使用されることもある。また、キャッシュカードや、クレジットカードなどの暗証番号も同様であり、暗証番号が第三者に解読され、不正使用されることが多発している。このため、このような不正使用を防止する技術が提案されている。
【０００３】
従来、この種の技術としては、たとえば、特許文献１に記載されたものがある。
特許文献１に記載された情報端末装置では、操作ボタンのひとつである電源ボタンが、押下時間を変えて複数回押下され、この押下の方法が電源のオン又はオフに使用する登録パターンとして登録され、電源をオン又はオフするとき、電源ボタンが押下されたパターンと登録パターンとが一致すれば、電源がオン状態又はオフ状態となる。これにより、同情報端末装置の誤操作や他人による不正使用が防止される。
【０００４】
また、特許文献２に記載された電子機器では、あらかじめ登録される登録パスワードと、認証処理時などの必要な場合に入力が要求されるパスワードとは、テンキーなどに割り当てられた数字などの入力情報だけではなく、押圧操作された操作キーに対して加えられた押圧力の大きさや、押圧操作タイミングも、上記登録パスワード及びパスワードの構成要素となっている。
【０００５】
また、特許文献３に記載された画像形成装置では、計測手段により、キーが押下されている時間が計測され、制御手段により、キーの押下される順序及び押下時間に基づいてサービスモード移行するように制御される。
【特許文献１】特開２００５−１９０３３５号公報（要約書、図１）
【特許文献２】特開２００２−３２８９０３号公報（要約書、図１）
【特許文献３】特開平０５−０３５０３３号公報（第１頁、図４）
【発明の開示】
【発明が解決しようとする課題】
【０００６】
しかしながら、上記従来の技術では、次のような問題点があった。
すなわち、特許文献１に記載された情報端末装置では、目的や効果は、この発明と同様であるが、押下したキーと押下時間との組合わせが記憶され、解除時もそのままの組合わせが入力されて解除されるようになっているため、この発明とは構成が異なる。
【０００７】
また、特許文献２に記載された電子機器では、目的や効果は、この発明と同様であるが、押圧力の大きさや、押圧操作タイミングも、登録パスワード及びパスワードの構成要素となっているため、この発明とは構成が異なる。
【０００８】
特許文献３に記載された画像形成装置では、各種キーと押下時間と押下順序とを組み合わせて特定のモードに移行するようになっているため、目的や効果は、この発明と類似しているが、構成が異なる。
【０００９】
この発明は、上述の事情に鑑みてなされたもので、暗証コードが第三者に容易に解読されず、不正使用が未然に防止される電子機器、該電子機器に用いられる暗証コード設定方法及び暗証コード設定制御プログラムを提供することを目的としている。
【課題を解決するための手段】
【００１０】
上記課題を解決するために、請求項１記載の発明は、数字キー、文字キー及び記号キーから任意に選択して組み合わせた組合わせキーにより入力された登録用暗証コードをあらかじめ記憶し、前記組合わせキーにより入力された認証用暗証コードと前記登録用暗証コードとの一致／不一致を判定し、一致したときに所定の動作を行う電子機器に係り、前記組合わせキーに対応する数字、文字及び記号と当該数字キー、文字キー及び記号キーの押下時間との組合わせをコード化した数字、文字及び記号を前記登録用暗証コード又は前記認証用暗証コードとして設定する暗証コード設定手段が設けられていることを特徴としている。
【００１１】
請求項２記載の発明は、請求項１記載の電子機器に係り、前記登録用暗証コードを記憶する記憶手段と、前記認証用暗証コードと前記登録用暗証コードとの一致／不一致を判定する一致／不一致判定手段とを備え、前記暗証コード設定手段は、当該数字キー、文字キー及び記号キーの押下時間を計測する計時手段と、前記組合わせキーに対応する数字、文字及び記号を、計測された前記押下時間の長さに比例した数だけ羅列することにより前記登録用暗証コード又は前記認証用暗証コードを設定するコード化手段とを備えてなることを特徴としている。
【００１２】
請求項３記載の発明は、請求項１又は２記載の電子機器に係り、前記登録用暗証コード又は前記認証用暗証コードを入力するための暗証コード入力画面を表示する表示手段を備えてなることを特徴としている。
【００１３】
請求項４記載の発明は、数字キー、文字キー及び記号キーから任意に選択して組み合わせた組合わせキーにより入力された登録用暗証コードをあらかじめ記憶し、前記組合わせキーにより入力された認証用暗証コードと前記登録用暗証コードとの一致／不一致を判定し、一致したときに所定の動作を行う電子機器に用いられる暗証コード設定方法に係り、前記組合わせキーに対応する数字、文字及び記号と当該数字キー、文字キー及び記号キーの押下時間との組合わせをコード化した数字、文字及び記号を前記登録用暗証コード又は前記認証用暗証コードとして設定することを特徴としている。
【００１４】
請求項５記載の発明は、請求項４記載の暗証コード設定方法に係り、前記数字キー、文字キー及び記号キーの押下時間を計測する計時処理と、当該数字キー、文字キー及び記号キーに対応する数字、文字及び記号を、計測された前記各押下時間の長さに比例した数だけ羅列することにより前記登録用暗証コード又は前記認証用暗証コードを設定するコード化処理とを行うことを特徴としている。
【００１５】
請求項６記載の発明は、暗証コード設定制御プログラムに係り、コンピュータに請求項１乃至３のいずれか一に記載の電子機器を制御させることを特徴としている。
【発明の効果】
【００１６】
この発明の構成によれば、暗証コード設定手段により、組合わせキーに対応する数字、文字及び記号と当該数字キー、文字キー及び記号キーの押下時間との組合わせをコード化した数字、文字及び記号が登録用暗証コードとして設定されてあらかじめ記憶され、同様にして設定された認証用暗証コードと同登録用暗証コードとの一致／不一致が判定され、一致したときに所定の動作が行われるので、第三者による不正な操作を防止でき、セキュリティを向上させることができる。
【００１７】
また、計時手段により、当該数字キー、文字キー及び記号キーの押下時間が計測され、コード化手段により、組合わせキーに対応する数字、文字及び記号が、計測された押下時間の長さに比例した数だけ羅列されることにより登録用暗証コードが設定され、記憶手段に記憶される。そして、同様にして設定された認証用暗証コードと上記登録用暗証コードとの一致／不一致が一致／不一致判定手段で判定され、一致したときに所定の動作が行われるので、第三者による不正な操作を防止でき、セキュリティを向上させることができる。
【発明を実施するための最良の形態】
【００１８】
数字キー、文字キー及び記号キーに対応する数字、文字及び記号と当該数字キー、文字キー及び記号キーの押下時間との組合わせをコード化した数字、文字及び記号を暗証コードとして設定する電子機器、該電子機器に用いられる暗証コード設定方法及び暗証コード設定制御プログラムを提供する。
【実施例】
【００１９】
図１は、この発明の一実施例である電子機器の要部の電気的構成を示すブロック図である。
この例の電子機器は、同図に示すように、携帯電話機であり、アンテナ１と、無線部２と、表示部３と、レシーバ４と、スピーカ５と、バイブレータ６と、タイマ７と、表示操作部８と、開閉検出部９ａ，９ｂと、マイク１０と、記憶部１１と、制御部１２とから構成されている。アンテナ１は、図示しない無線基地局との間で電波Ｗを送受信する。無線基地局は、図示しない移動通信制御局、在圏移動通信交換局及び関門移動通信交換局を介して一般電話回線網に接続されている。無線部２は、アンテナ１を介して無線データの送受信処理を行い、同無線データの変復調などを行う。
【００２０】
レシーバ４は、通話時の音声を出力する。スピーカ５は、着信音を発生する。バイブレータ６は、着信時に振動することにより、着信を触覚的に報知する。表示操作部８は、複数のキースイッチ（数字キー、文字キー及び記号キー）で構成され、ユーザが押下することにより、通話時のダイヤル操作を行うためのものである他、特に、この実施例では、動作のロック設定／解除のための暗証コード（登録用暗証コード及び認証用暗証コード）の入力を行う。タイマ７は、表示操作部８の各キースイッチの押下時間を計測する。開閉検出部９ａ，９ｂは、たとえば磁気センサなどで構成され、この携帯電話機の筐体が折り畳み式に構成されている場合、同筐体の開閉状態を検出する。マイク１０は、通話時の音声を入力する。記憶部１１は、たとえばフラッシュＲＯＭ（Flash Read Only Memory）又はＲＡＭ(Random Access Memory)などで構成され、表示操作部８により入力された暗証コード（登録用暗証コード）をあらかじめ記憶する。
【００２１】
制御部１２は、この携帯電話機全体を制御するＣＰＵ（中央処理装置）１２ａ及び同ＣＰＵ１２ａを動作させるための暗証コード設定制御プログラムが記録されたＲＯＭ（リード・オンリ・メモリ）１２ｂを有している。特に、この実施例では、制御部１２は、表示操作部８の各数字キーに対応する各数字と当該数字キーの押下時間との組合わせをコード化したものを上記登録用暗証コード及び認証用暗証コードとして設定する。この場合、制御部１２は、当該数字キーに対応する数字を、タイマ７で計測された押下時間の長さに比例した数だけ羅列することにより登録用暗証コード及び認証用暗証コードを設定する。そして、制御部１２は、表示操作部８により入力された認証用暗証コードと、記憶部１１に記憶されている登録用暗証コードとの一致／不一致を判定し、一致したときに動作のロックを解除して当該携帯電話機の機能に対応した所定の動作を行う。表示部３は、たとえばＬＣＤ（Liquid Crystal Display、液晶表示装置）やＥＬ（エレクトロルミネセンス）などで構成され、この携帯電話機の種々の機能に対応した画面を表示する。特に、この実施例では、表示部３は、上記登録用暗証コード又は認証用暗証コードを入力するための暗証コード入力画面を表示する。
【００２２】
図２は、図１の携帯電話機の筐体が折り畳み型に構成されている場合の開状態を示す図である。
この携帯電話機は、同図２に示すように、ユニット２１と、ユニット２２と、ヒンジ部２３とを備えている。ユニット２１は、アンテナ１が設けられ、前面に表示部３及びレシーバ４、背面にスピーカ５、及び内部に開閉検出部９ａが設けられている。ユニット２２は、前面に表示操作部８及びマイク１０、及び内部に開閉検出部９ｂが設けられている。そして、ユニット２１の前面とユニット２２の前面とが向かい合う態様で同ユニット２１と同ユニット２２とがヒンジ部２３を介して折り畳まれるように構成されている。
【００２３】
図３は、図１の携帯電話機の動作説明図である。
この図を参照して、この例の携帯電話機に用いられる暗証コード設定方法の処理内容について説明する。
この携帯電話機では、各数字キーの押下時間が計測され、当該数字キーに対応する数字が各押下時間の長さに比例した数だけ羅列されることにより登録用暗証コードが設定され、記憶部１１にあらかじめ記憶される。また、同様にして認証用暗証コードが設定される。そして、認証用暗証コードと記憶部１１に記憶されている登録用暗証コードとの一致／不一致が判定され、一致したときに所定の動作が行われる。
【００２４】
ここで、表示操作部８で押下される数字キーは、“０”から“９”までの１０種類とする。また、タイマ７の計測時間は最大３秒とし、数字キーが押下される時間は、１秒、２秒又は３秒の３種類とする。また、数字キーを押下する回数は、最大４回までとし、４回以降は無効とする。この状態で、数字キーが押下されたことが制御部１２で検出されたとき、タイマ７が起動して押下されている時間が計測され、押下が停止されたとき、タイマ７が停止し、押下されていた時間が算出される。そして、押下されていた数字キーに対応する数字と当該数字キーの押下時間との組合わせをコード化したものが上記登録用暗証コード及び認証用暗証コードとして設定される。
【００２５】
たとえば、図３に示すように、数字キー“１”が押下されたとき、表示操作部８から該当するキー押下信号が制御部１２へ出力され、タイマ７により押下時間が計測される。この押下時間が１秒のとき、制御部１２により数字“１”と押下時間（１秒）とが符号化され、表示部３に表示される暗証コード入力欄の７桁目に「１」が表示される。同様に、数字キー“０”が押下され、押下時間が３秒のとき、暗証コード入力欄の４乃至６桁目に「０００」が表示される。数字キー“８”が押下され、押下時間が１秒のとき、暗証コード入力欄の３桁目に「８」が表示される。数字キー“５”が押下され、押下時間が２秒のとき、暗証コード入力欄の１乃至２桁目に「５５」が表示される。よって、暗証コード入力欄に「コード：１０００８５５」が表示される。
【００２６】
以上のように、この実施例では、各数字キーの押下時間が計測され、当該数字キーに対応する数字が各押下時間の長さに比例した数だけ羅列されることにより登録用暗証コード及び認証用暗証コードが設定されるので、電話番号や生年月日などの数字の組合わせよりもはるかに多くの数字の組合わせが実現され、携帯電話機のセキュリティが向上する。
【００２７】
以上、この発明の実施例を図面により詳述してきたが、具体的な構成は同実施例に限られるものではなく、この発明の要旨を逸脱しない範囲の設計の変更などがあっても、この発明に含まれる。
たとえば、電子機器は、上記実施例の携帯電話機に限らず、たとえば、ＰＤＡ（Personal Digital Assistants ）やパーソナルコンピュータ（パソコン）など、第三者による不正使用を回避する必要のあるものであれば良い。また、登録用暗証コード及び認証用暗証コードの入力を行うためのキーは、数字キーに限定されず、電子機器がたとえばパソコンである場合は、平仮名、片仮名又はアルファベットの文字キーでも良く、また、記号キーでも良い。また、これらのキーから任意に選択して組み合わせた組合わせキーでも良い。また、上記実施例の携帯電話機の筐体は、折り畳み型に限らず、一体型、スライド型、又は回転型でも良い。
【産業上の利用可能性】
【００２８】
この発明は、第三者による不正使用を防止する必要がある電子機器全般に適用できる。
【図面の簡単な説明】
【００２９】
【図１】この発明の一実施例である電子機器の要部の電気的構成を示すブロック図である。
【図２】図１の携帯電話機の筐体が折り畳み式に構成されている場合の開状態を示す図である。
【図３】図１の携帯電話機の動作説明図である。
【符号の説明】
【００３０】
１      アンテナ（電子機器の一部）
２      無線部（電子機器の一部）
３      表示部（表示手段、電子機器の一部）
４      レシーバ（電子機器の一部）
５      スピーカ（電子機器の一部）
６      バイブレータ（電子機器の一部）
７      タイマ（計時手段、電子機器の一部）
８      表示操作部（数字キー、文字キー、記号キー）
９ａ，９ｂ      開閉検出部（電子機器の一部）
１０      マイク（電子機器の一部、携帯電話機の一部）
１１      記憶部（記憶手段、電子機器の一部）
１２      制御部（暗証コード設定手段、一致／不一致判定手段、コード化手段）
１２ａ      ＣＰＵ（中央処理装置）（制御部１２の一部）
１２ｂ      ＲＯＭ（リード・オンリ・メモリ）（制御部１２の一部）
【図１】
2008052416.tif 000003
【図２】
2008052416.tif 000004
【図３】
2008052416.tif 000005